(57)【要約】【課題】  シリンダボア内に挿通される円筒部と、一対のシューを収容する一対のシューポケットを有しシューを介して斜板の縁部を摺動可能に挟持する尾部とを備える斜板式圧縮機のピストンであって、シューとシューポケットとの摺接部が貧潤滑に対して耐性を有する斜板式圧縮機のピストンを提供する。【解決手段】  シリンダボア内に挿通される円筒部と、一対のシューを収容する一対のシューポケットを有しシューを介して斜板の縁部を摺動可能に挟持する尾部とを備える斜板式圧縮機のピストンであって、シューポケットが、ニッケル錫メッキ又はニッケルポリテトラフルオロエチレンメッキされている【選択図】  図１
2005214146.tif 000002
【特許請求の範囲】
【請求項１】
シリンダボア内に挿通される円筒部と、一対のシューを収容する一対のシューポケットを有しシューを介して斜板の縁部を摺動可能に挟持する尾部とを備える斜板式圧縮機のピストンであって、シューポケットが、ニッケル錫メッキ又はニッケルポリテトラフルオロエチレンメッキされていることを特徴とする斜板式圧縮機のピストン。
【請求項２】
シリンダボア内に挿通される円筒部と、一対のシューを収容する一対のシューポケットを有しシューを介して斜板の縁部を摺動可能に挟持する尾部とを備える斜板式圧縮機のピストンであって、全体が、ニッケル錫メッキ又はニッケルポリテトラフルオロエチレンメッキされていることを特徴とする斜板式圧縮機のピストン。
【発明の詳細な説明】
【技術分野】
【０００１】
本発明は、斜板式圧縮機のピストンに関するものである。
【背景技術】
【０００２】
斜板式圧縮機のピストンは、一般に、シリンダボア内に挿通される円筒部と、一対のシューを収容する一対のシューポケットを有しシューを介して斜板の縁部を摺動可能に挟持する尾部とを備えている。特許文献１が開示するように、従来、シューポケットを除く尾部と円筒部とは、フッ素樹脂等の潤滑性耐磨耗材によりコーティングされていた。
【特許文献１】特開２００１−３０４１２６
【発明の開示】
【発明が解決しようとする課題】
【０００３】
空調装置の停止に伴い斜板式圧縮機の運転が長期間に亘って停止されると、空調装置と斜板式圧縮機との温度差により、空調装置から斜板式圧縮機へ冷媒ガスが逆流し、斜板式圧縮機のクランク室に液化した冷媒ガスが溜まる場合がある。クランク室内に冷媒液が溜まった状態で、空調装置が始動し斜板式圧縮機が始動すると、クランク室内の冷媒液が斜板の回転に伴って攪拌され、シューポケットに蓄えられた潤滑油が冷媒液によって洗い流され、一時的にシューとシューポケットとの摺接部が貧潤滑になる可能性がある。従来の斜板式圧縮機のピストンにおいては、潤滑性耐磨耗材によるコーティングがシューポケットに施されていなかったので、斜板式圧縮機の始動時にシューとシューポケットとの摺接部に一時的な貧潤滑状態が発生すると、シューポケットが過度に磨耗し破損する可能性があった。
本発明は上記問題に鑑みてなされたものであり、シリンダボア内に挿通される円筒部と、一対のシューを収容する一対のシューポケットを有しシューを介して斜板の縁部を摺動可能に挟持する尾部とを備える斜板式圧縮機のピストンであって、シューとシューポケットとの摺接部が貧潤滑に対して耐性を有する斜板式圧縮機のピストンを提供することを目的とする。
【課題を解決するための手段】
【０００４】
上記課題を解決するために、本発明においては、シリンダボア内に挿通される円筒部と、一対のシューを収容する一対のシューポケットを有しシューを介して斜板の縁部を摺動可能に挟持する尾部とを備える斜板式圧縮機のピストンであって、シューポケットが、ニッケル錫メッキ又はニッケルポリテトラフルオロエチレンメッキされていることを特徴とする斜板式圧縮機のピストンを提供する。
【０００５】
また本発明においては、シリンダボア内に挿通される円筒部と、一対のシューを収容する一対のシューポケットを有しシューを介して斜板の縁部を摺動可能に挟持する尾部とを備える斜板式圧縮機のピストンであって、全体が、ニッケル錫メッキ又はニッケルポリテトラフルオロエチレンメッキされていることを特徴とする斜板式圧縮機のピストンを提供する。
【発明の効果】
【０００６】
本発明においては、シューポケットが、潤滑性耐磨耗性に優れるニッケル錫メッキ又はニッケルポリテトラフルオロエチレンメッキされているので、シューとシューポケットとの摺接部が貧潤滑になっても、シューポケットが過度に磨耗して破損する可能性は低い。
ピストン全体に、ニッケル錫メッキ又はニッケルポリテトラフルオロエチレンメッキを施すことにより、ピストンのシューポケットを除く部位には従来通りフッ素樹脂等のコーティングを施し、シューポケットにはニッケル錫メッキ又はニッケルポリテトラフルオロエチレンメッキを施す場合に比べて、表面処理工程数が減少し、生産性が向上し、製造コストが低減する。
【発明を実施するための最良の形態】
【０００７】
本発明の実施例に係る斜板式圧縮機のピストンを説明する。
【実施例１】
【０００８】
図１に示すように、斜板式圧縮機のピストン１は、図示しないシリンダボアに挿通される円筒部２と、円筒部２の一端から延びる尾部３とを備えている。尾部３は、一対の対向する半球面状のシューポケット３ａと、自転阻止部３ｂとを有している。尾部３は、自転阻止部３ｂを図示しないクランク室周壁内面に摺接させつつ、シューポケット３ａに収容した図示しない一対の半球状のシューを介して図示しない斜板の縁部を摺動可能に挟持する。
円筒部２と尾部の自転阻止部３ｂとは、潤滑性耐磨耗材であるフッ素樹脂によりコーティングされている。円筒部２や自転阻止部３ｂに比べて高い面圧が加わる尾部のシューポケット３ａは、フッ素樹脂よりも潤滑性耐磨耗性に優れるニッケル錫メッキ又はニッケルポリテトラフルオロエチレンメッキを施されている。
斜板式圧縮機のピストン１においては、シューポケット３ａが、潤滑性耐磨耗性に優れるニッケル錫メッキ又はニッケルポリテトラフルオロエチレンメッキを施されているので、図示しないシューとシューポケット３ａとの摺接部が貧潤滑になっても、シューポケット３ａが過度に磨耗して破損する可能性は低い。
【実施例２】
【０００９】
図２に示すように、斜板式圧縮機のピストン１１は、図示しないシリンダボアに挿通される円筒部１２と、円筒部１２の一端から延びる尾部１３とを備えている。尾部１３は、一対の対向する半球面状のシューポケット１３ａと、自転阻止部１３ｂとを有している。尾部１３は、自転阻止部１３ｂを図示しないクランク室周壁内面に摺接させつつ、シューポケット１３ａに収容した図示しない一対の半球状のシューを介して図示しない斜板の縁部を摺動可能に挟持する。
ピストン１１は、シューポケット１３ａを含む全体が、ニッケル錫メッキ又はニッケルポリテトラフルオロエチレンメッキされている。ニッケルポリテトラフルオロエチレンメッキの成分は、ニッケル７０重量％、ポリテトラフルオロエチレン３０重量％である。
斜板式圧縮機のピストン１１においては、シューポケット１３ａが、潤滑性耐磨耗性に優れるニッケル錫メッキ又はニッケルポリテトラフルオロエチレンメッキされているので、図示しないシューとシューポケット１３ａとの摺接部が貧潤滑になっても、シューポケット１３ａが過度に磨耗して破損する可能性は低い。
ピストン１１の外表面全体を、ニッケル錫メッキ又はニッケルポリテトラフルオロエチレンメッキすることにより、実施例１に係るピストン１のように、円筒部２と尾部の自転阻止部３ｂとは、フッ素樹脂でコーティングし、シューポケット１３ａはニッケル錫メッキ又はニッケルポリテトラフルオロエチレンメッキする場合に比べて、表面処理工程数が減少し、ピストンの生産性が向上し、ピストンの製造コストが低減する。
【産業上の利用可能性】
【００１０】
本発明は、シリンダボア内に挿通される円筒部と、一対のシューを収容する一対のシューポケットを有しシューを介して斜板の縁部を摺動可能に挟持する尾部とを備える斜板式圧縮機のピストンに広く利用可能である。
【図面の簡単な説明】
【００１１】
【図１】本発明の第１実施例に係る斜板式圧縮機のピストンの断面図である。
【図２】本発明の第２実施例に係る斜板式圧縮機のピストンの断面図である。
【符号の説明】
【００１２】
１、１１  ピストン
２、１２  円筒部
３、１３  尾部
３ａ、１３ａ  シューポケット
３ｂ、１３ｂ  自転阻止部
【図１】
2005214146.tif 000003
【図２】
2005214146.tif 000004